(57)【要約】【課題】簡単な作業によりナットを確実に弛み止めでき、現場作業に適したナットの弛み止め構造を提供する。【解決手段】ねじ棒（１０）の雄ねじ（１１）にはその周方向の一部に小径部（１２）を形成し、ナットには段部（２２）を形成する。段部とねじ棒の雄ねじとの間及び小径部とナットの雌ねじとの間には流動性材料を注入して硬化させ、ねじ棒の小径部に嵌まり合う係止部（３１）及び大径の弛み止めブロック部（３２）を一体に形成し、係止部によって弛み止めブロック部をねじ棒の雄ねじに対して廻り止めし、弛み止めブロック部によってナットの雌ねじの弛み方向の回転を阻止する。【選択図】  図４
2004225806.tif 000002
【特許請求の範囲】
【請求項１】
ねじ棒の雄ねじに螺合されたナットを弛み止めするようにした弛み止め構造であって、
上記ねじ棒の雄ねじの少なくともナットが螺合される部位にはその周方向の一部に上記ナットの雌ねじの内径よりも小さい外径を有する小径部が形成される一方、
上記ナットの雌ねじの弛み方向側には少なくとも雌ねじの内径よりも大きな内径を有する段部が少なくとも上記ねじ棒の小径部と連続し得る周方向の範囲にわたって形成され、
上記ナットの段部とねじ棒の雄ねじとの間及び上記ねじ棒の小径部とナットの雌ねじとの間には硬化時に所定の硬さを有する流動性材料が注入されて硬化されることにより、上記ねじ棒の小径部に嵌まり合う係止部及び上記ナットの雌ねじのねじ山よりも大径の弛み止めブロック部が一体に形成されており、
上記弛み止めブロック部は上記係止部によってねじ棒の雄ねじに対して廻り止めされるとともに、上記ナットの雌ねじの弛み方向の回転を阻止するようになしたことを特徴とするナットの弛み止め構造。
【請求項２】
上記小径部はねじ棒の軸線方向の少なくとも２つのねじ山にわたる長さに形成されている請求項１記載のナットの弛み止め構造。
【請求項３】
上記小径部は少なくとも周方向の相互に対向する部位に２つ設けられている請求項１又は２記載のナットの弛み止め構造。
【請求項４】
上記段部はナットの軸線方向の少なくとも２つのねじ山にわたる高さに形成されている請求項１ないし３のいずれかに記載のナットの弛み止め構造。
【請求項５】
上記段部はナットの全周にわたって形成されている請求項１、２又は４に記載のナットの弛み止め構造。
【請求項６】
上記流動性材はグラウト材である請求項１ないし５のいずれかに記載のナットの弛み止め構造。
【請求項７】
上記ねじ棒は断面楕円形状をなすねじ節鉄筋である請求項１ないし６のいずれかに記載の記載のナットの廻り止め構造。
【発明の詳細な説明】
【０００１】
【発明の属する技術分野】
本発明はナットの弛み止め構造に関し、特に雄ねじに螺合させたナットが簡単に弛まないようにした構造に関する。
【０００２】
【従来の技術】
例えば、床面の基礎上に構造物を固定する場合、床面の基礎にアンカーボルトを埋め込んでコンクリートで固定し、構造物の挿通穴にアンカーボルトを挿通し、ボルトの雄ねじにナットの雌ねじを螺合させ、締めつけて締結する方式が一般的である。
【０００３】
ところで、この種の締結方式では振動、熱膨張、経時変化等の原因によって締結が緩むおそれがあることから、種々な弛み止め方法が提案されている。例えば、曲げ座金やロックワイヤを用いる方法、ナット及びボルトに割りピンを貫通させる方法、二重ナットを用いる方法（特許文献１、参照）、セルフロックねじを有するボルトを用いる方法（例えば、特許文献２、参照）、ナットに係止爪を設け、ボルトねじ部側に係止爪の係合しうる受け部を形成し、ナットの締め付け方向の回転のみ許容する方法（例えば、特許文献３、参照）、等が知られている。
【０００４】
しかし、これらの弛み止め方法ではナットが過大な力で故意に廻されると、締結を簡単に外すことができてしまう。
【０００５】
他方、ボルトの雄ねじ又はナットの雌ねじに楔溝を形成し、ナットを螺合させた後、楔溝に楔を打込み、雌ねじ又は雄ねじのねじ山を潰し、過大な力を加えてもナットを弛められないようにした方法が提案されている（例えば、特許文献４
特許文献５、特許文献６、特許文献７、特許文献８、等参照）。
【０００６】
【特許文献１】特開平０６ー２６５１２号公報
【特許文献２】特開平０７ー４２７２４号公報
【特許文献３】特開平０６ー２４９２２２号公報
【特許文献４】特開昭５０−１４５７６１号公報
【特許文献５】実公昭３５−２８６２０号公報
【特許文献６】実公昭３７−１０６２０号公報
【特許文献７】実公昭４６−１７１０号公報
【特許文献８】実公昭５５−１５８３１３号公報
【０００７】
【発明が解決しようとする課題】
しかし、ねじ山を潰しながら楔を楔溝内に打ち込むのには大きな力を必要とし、現場作業が非常に煩雑であるという問題があった。
【０００８】
本発明は、かかる問題点に鑑み、簡単な作業によりナットを確実に弛み止めでき、現場作業に適したナットの弛み止め構造を提供することを課題とする。
【０００９】
【課題を解決するための手段】
そこで本発明に係るナットの弛み止め構造は、ねじ棒の雄ねじに螺合されたナットを弛み止めするようにした弛み止め構造であって、上記ねじ棒の雄ねじの少なくともナットが螺合される部位にはその周方向の一部に上記ナットの雌ねじの内径よりも小さい外径を有する小径部が形成される一方、上記ナットの雌ねじの弛み方向側には少なくとも雌ねじの内径よりも大きな内径を有する段部が少なくとも上記ねじ棒の小径部と連続し得る周方向の範囲にわたって形成され、上記ナットの段部とねじ棒の雄ねじとの間及び上記ねじ棒の小径部とナットの雌ねじとの間には硬化時に所定の硬さを有する流動性材料が注入されて硬化されることにより、上記ねじ棒の小径部に嵌まり合う係止部及び上記ナットの雌ねじのねじ山よりも大径の弛み止めブロック部が一体に形成されており、上記弛み止めブロック部は上記係止部によってねじ棒の雄ねじに対して廻り止めされるとともに、上記ナットの雌ねじの弛み方向の回転を阻止するようになしたことを特徴とする。
【００１０】
本発明の特徴の１つはナットに段部を、ねじ棒に小径部を形成し、ナットとねじ棒との間の空間に流動性材料を注入して硬化させ、ねじ棒の小径部に嵌まり合う係止部と、ナットの雌ねじのねじ山よりも大径の弛み止めブロック部とを一体に形成するようにした点にある。
【００１１】
これにより、流動性材料の硬化した係止部はナットの雌ねじによって径方向外方への動きを規制され、しかも係止部の内面側が小径部に嵌まり合う形状となっているので、ねじ棒の雄ねじに対して廻り止めされ、係止部と一体に形成された弛み止めブロック部も廻り止めされる。この弛み止めブロック部には雄ねじが形成されていないので、ナットは締め付け方向には回転することができるが、弛み方向には弛み止めブロックに当たって回転を阻止される。
【００１２】
その結果、ナットを故意に弛めようとしても、弛み止めブロック部が壊れない限り、弛み止めブロック部がナットの弛み方向の回転の障害物となるので、ナットは全く回転できず、確実に廻り止めされる。
【００１３】
また、流動性材料を注入して硬化させることにより係止部及び弛み止めブロック部を形成するようにしているので、従来のように雄ねじ又は雌ねじのねじ山を潰しながら楔を打ち込む方式に比して大きな力を必要とせさず、作業が簡単であり、構造物の設置現場等の現場での作業に最適である。
【００１４】
ねじ棒の小径部はナットの雌ねじの内径よりも小さい外径を有していれば、係止部をねじ棒に対して廻り止めをすることができるので、その形状は特に限定されず、例えば円筒側面の一部の形状としてもよく、又凹状としてもよい。
【００１５】
また、ねじ棒の小径部は少なくとも１つのねじ山に形成されていれば、係止部をねじ棒に対して廻り止めできるので、ねじ棒の軸線方向の長さは特に限定されないが、係止部を確実に廻り止めする上で、小径部はねじ棒の軸線方向の少なくとも２つのねじ山にわたる長さに形成されているのがよい。
み止め構造。
【００１６】
さらに、ねじ棒の小径部は少なくとも１つ設けられていれば係止部をねじ棒に対して廻り止めできるが、係止部を確実に廻り止めする上で、少なくとも周方向の相互に対向する部位に２つ設けられているのがよい。例えば、ねじ棒には断面楕円形状をなすねじ節鉄筋を用いることができる。
【００１７】
ナットの段部は弛み止めブロック部によってナットの弛みを阻止する上で、ナットの雌ねじの弛み方向側に設けられていればよく、例えばナットの雌ねじを除去して形成してもよく、又雌ねじの終端よりも外側に別途形成してもよい。
【００１８】
また、ナットの段部は少なくとも雌ねじの内径よりも大きな内径を有していれば弛み止めブロック部によってナットの弛みを阻止できるが、確実に弛み止めブロック部によってナットの弛みを阻止する上で、ナットの雌ねじの谷の内径よりも大きな内径に形成するのがよい。
【００１９】
さらに、ナットの段部はナット軸線方向の高さは特に限定されないが、十分な強度を確保する上で、ナットの軸線方向の少なくとも２つのねじ山にわたる高さに形成されているのが好ましい。
【００２０】
また、ナットの段部は少なくともねじ棒の小径部と連続し得る周方向の範囲にわたって形成されていれば、係止部と弛み止めブロックとが一体化されるが、係止部と弛み止めブロックとの高い連結強度を確保する上で、段部はナットの全周にわたって形成されているのが好ましい。
【００２１】
流動性材料は流動後に硬化し、所定の硬さ、具体的にはナットの雌ねじの弛み方向の荷重に耐える硬さを有する材料であれば特に限定されない。例えば、棒鋼の接続に用いられるグラウト材を用いることができる。グラウト材にはセメントを主成分とする無機質グラウト材、エポキシ樹脂等の有機質グラウト材があるが、いずれを用いてもよい。
【００２２】
【発明の実施の形態】
以下、本発明を図面に示す具体例に基づいて詳細に説明する。図１ないし図５は本発明に係るナットの弛み止め構造の好ましい実施形態を示す。図において、ねじ棒１０には断面楕円形状をなすねじ節鉄筋が用いられている。
【００２３】
このねじ棒１０の断面の対向する部位には雄ねじ１１が刻設される一方、雄ねじ１１の形成された部位と直交する部位はねじ山が形成されていない、即ちナット２０のねじ山よりも内径の大きな平坦な形状の小径部１２となっており、該小径部１２はねじ棒１０の長手方向の全長にわたって形成されている。
【００２４】
他方、ナット２０の内面にねじ棒１０の雄ねじ１１と螺合する雌ねじ２１が刻設され、ナット２０の弛み方向側にはナット２０の谷の径よりも大きな内径でかつナット軸線方向に少なくとも２つのねじ山を越える高さの段部２２が全周にわたって形成されている。
【００２５】
ねじ棒１０の雄ねじ１とナット２０の雌ねじ２１とは相互に螺合され、その間にはセメントを主成分とする無機質グラウト材（流動性材料）３０が注入されて硬化されている。この硬化したグラウト材３０によって，ねじ棒１０の小径部１２と嵌まり合う係止部３１と、係止部３１と一体に形成された大径の弛み止めブロック部３２とが構成されている。
【００２６】
弛み止めブロック部３２の下方の係止部３１はねじ棒１０の小径部１２と嵌まり合うとともに、ナット２０の雌ねじ２１と螺合する外形状に形成されている。なお、雌雄のねじ１１、２１の間の隙間にもグラウト材３０が薄く流入するので、実際には図５に示されるように、ねじ棒１０の表面にグラウト材３０が薄く付着した状態となる。
【００２７】
本例の弛み止め構造では、係止部３１はナット２０の雌ねじ２１によって径方向外方への動きを阻止されるとともに、ねじ棒１０の小径部１１に嵌まり合い、ねじ棒１０に対して周方向の動きを阻止されて廻り止めされており、この係止部３１には弛み止めブロック部３２が一体的に連結されている。
【００２８】
今、ナット２０を締め付け方向に回転させると、係止部３１がナット２０の雌ねじ２１と螺合する形状をなしているので、ナット２０を締め付ける方向に廻すことはできる。しかし、通常はナット２０の締め付け方向側には被締結部材（図示せず）が存在し、ナット２０と競った状態となっているので、ナット２０は締め付け方向側に回転させることはできない。
【００２９】
他方、ナット２０を弛める方向に回転させようとすると、ナット２０の雌ねじ２１はねじ棒１０に保持された弛み止めブロック部３２と当たるが、弛み止めブロック部３２には雄ねじが形成されておらず、単なる硬質のブロックであるので、ナット２０は弛み止めブロック部３２が壊れない限り、弛み方向側に回転することはできない。
【００３０】
その結果、ナット２０が一旦ねじ棒１０に螺合すると、弛み方向側への回転ができず、確実に弛み止めされることとなる。
【図面の簡単な説明】
【図１】本発明に係る弛み止め構造の好ましい実施形態を示す斜視図である。
【図２】上記実施形態においてナットの断面形状及びねじ棒平面形状を湿す図である。
【図３】上記実施形態においてねじ棒及びナットを組立てる方法を示す斜視図である。
【図４】上記実施形態の構造を示す斜視図である。
【図５】上記実施形態の作用を説明するための図である。
【符号の説明】
１０    ねじ棒
１１    雄ねじ
１２    小径部
２０    ナット
２１    雌ねじ
２２    段部
３０    グラウト材（流動性材料）
３１    係止部
３２    弛み止めブロック部
【図１】
2004225806.tif 000003
【図２】
2004225806.tif 000004
【図３】
2004225806.tif 000005
【図４】
2004225806.tif 000006
【図５】
2004225806.tif 000007